(57)【要約】【課題】体重を測定した対象者の体重情報が他人等の知られない体重計等を提供すること。【解決手段】測定対象者の体重を測定する体重情報測定部１１と、体重情報測定部が測定した測定体重情報を報知対象者に報知する測定体重報知部１３と、を有し、測定体重報知部が、測定体重情報を報知対象者の皮膚感覚として再現する触覚情報として出力する触覚情報報知部１３である体重計１。【選択図】図２
2013072696.tif 000002
【特許請求の範囲】
【請求項１】
測定対象者の体重を測定する体重情報測定部と、
前記体重情報測定部が測定した測定体重情報を報知対象者に報知する測定体重報知部とを有し、
前記測定体重報知部が、前記測定体重情報を前記報知対象者の皮膚感覚として再現する触覚情報として出力する触覚情報報知部であることを特徴とする体重計。
【請求項２】
前記触覚情報報知部は、前記報知対象者の皮膚へ向かう方向である突出方向に沿って進退可能な突出部を有し、前記突出部が前記報知対象者の皮膚に当接することで、前記測定体重情報を前記触覚情報として出力する構成となっていることを特徴とする請求項１に記載の体重計。
【請求項３】
前記報知対象者は、前記測定対象者であって、
前記触覚情報報知部は、前記測定対象者の足裏側に対向するように配置され、前記測定体重情報を前記触覚情報として、前記測定対象者の足裏の皮膚感覚として再現する構成となっていることを特徴とする請求項１又は請求項２に記載の体重計。
【請求項４】
前記触覚情報報知部は、前記測定対象者の右足側及び左足側にそれぞれ配置されていることを特徴とする請求項３に記載の体重計。
【請求項５】
前記測定体重情報の一部の数値情報を色彩情報として出力する色彩情報表示部を有することを特徴とする請求項１乃至請求項４のいずれか１項に記載の体重計。
【請求項６】
前記測定体重情報の少なくとも一部を光の点滅情報として表示する点滅情報表示部を備えることを特徴とする請求項１乃至請求項５のいずれか１項に記載の体重計。
【請求項７】
測定対象者の体重を測定する体重情報測定部が測定した測定体重情報を報知対象者に報知する触覚情報報知部が、前記測定体重情報を前記報知対象者の皮膚感覚として再現する触覚情報として出力することを特徴とする体重情報表示方法。
【発明の詳細な説明】
【技術分野】
【０００１】
本発明は、例えば、対象者の体重情報等を表示する体重計及び体重情報表示方法に関するものである。
【背景技術】
【０００２】
従来より、対象者の体重を測定し、ディスプレイ等に、その数値を表示する体重計が用いられている（例えば、特許文献１）。
【先行技術文献】
【特許文献】
【０００３】
【特許文献１】特開２０１０−７８５０４号公報
【発明の概要】
【発明が解決しようとする課題】
【０００４】
しかし、対象者が体重計で体重を測る際に、近くに他の人が居る場合などは、その他人に体重計に表示される体重値を知られるおそれがある。特に対象者が女性等の場合は、かかる事態が生じることは、体重測定の忌避につながり、健康維持のための体重測定が促進されないという問題があった。
【０００５】
そこで、本発明は、体重を測定した対象者の体重情報が他人等の知られない体重計及び体重情報表示方法を提供することを目的とする。
【課題を解決するための手段】
【０００６】
上記目的は、本発明にあっては、測定対象者の体重を測定する体重情報測定部と、前記体重情報測定部が測定した測定体重情報を報知対象者に報知する測定体重報知部とを有し、前記測定体重報知部が、前記測定体重情報を前記報知対象者の皮膚感覚として再現する触覚情報として出力する触覚情報報知部であることを特徴とする体重計により達成される。
【０００７】
前記構成によれば、体重情報測定部が測定した測定体重情報を報知対象者に報知する測定体重報知部が、測定体重情報を報知対象者の皮膚感覚として再現する触覚情報として出力する触覚情報報知部であるので、測定対象者の体重は報知対象者の触覚情報として、報知対象者にのみ報知される。
したがって、測定体重情報を他人に知られることがなく、測定対象者は、安心して体重測定をすることができる。
【０００８】
好ましくは、前記触覚情報報知部は、前記報知対象者の皮膚へ向かう方向である突出方向に沿って進退可能な突出部を有し、前記突出部が前記報知対象者の皮膚に当接することで、前記測定体重情報を前記触覚情報として出力する構成となっていることを特徴とする。
【０００９】
前記構成によれば、触覚情報報知部は、報知対象者の皮膚へ向かう方向である突出方向に沿って進退可能な突出部を有し、突出部が報知対象者の皮膚に当接することで、測定体重情報を触覚情報として出力する構成となっている。
すなわち、突出部の突出及び皮膚への当接によって測定体重情報を報知できるので、簡易かつ確実に情報を報知できる構成となっている。
【００１０】
好ましくは、前記報知対象者は、前記測定対象者であって、前記触覚情報報知部は、前記測定対象者の足裏側に対向するように配置され、前記測定体重情報を前記触覚情報として、前記測定対象者の足裏の皮膚感覚として再現する構成となっていることを特徴とする。
【００１１】
前記構成によれば、触覚情報報知部は、測定対象者の足裏側に対向するように配置され、測定体重情報を触覚情報として、測定対象者の足裏の皮膚感覚として再現する構成となっている。
このため、測定後に測定対象者が新たな動作をすることなく、すなわち、動くことなく、測定状態のままその体勢を維持することで、直ちに体重情報を取得できるので、使用者にとって、使い易い体重計となっている。
【００１２】
好ましくは、前記触覚情報報知部は、前記測定対象者の右足側及び左足側にそれぞれ配置されていることを特徴とする。
【００１３】
前記構成によれば、触覚情報報知部は、測定対象者の右足側及び左足側にそれぞれ配置されている。
このため、右足側及び左足側の触覚情報報知部で、同じ測定体重情報を報知し、または、測定体重情報の異なる部分をそれぞれに報知させることができる。例えば、体重情報のうち、同じ十の位の数字と一の位の数字を、左右の両側の触覚情報報知部で示すことができると共に、左足側の触覚情報報知部で十の位、右足側の触覚情報報知部で一の位が表示させる構成とすることもできる。
したがって、測定体重情報をより確実に報知することができる。
【００１４】
好ましくは、前記測定体重情報の一部の数値情報を色彩情報として出力する色彩情報表示部を有することを特徴とする。
【００１５】
前記構成によれば、測定体重情報の一部の数値情報を色彩情報として出力する色彩情報表示部を有するので、この色彩情報表示部で表示される情報と、例えば、左足側の触覚情報報知部及び右足側の触覚情報報知部で表示される情報を、測定体重情報のうちの、それぞれ異なる情報とすることができる。
例えば、測定体重情報の「十の位の数値」を色彩情報表示部、「一の位の数値」を左足側の触覚情報報知部、「小数点第１位の位の数値」を右足側の触覚情報報知部に、それぞれ表示させることができ、このように表示させることで、より詳細な測定体重情報を報知することができる。
【００１６】
好ましくは、前記測定体重情報の少なくとも一部を光の点滅情報として表示する点滅情報表示部を備えることを特徴とする。
【００１７】
前記構成によれば、測定体重情報の少なくとも一部を光の点滅情報として表示する点滅情報表示部を備えるので、触覚情報として報知する測定体重情報の少なくとも一部を点滅情報としても報知できるので、利用者は、測定体重情報をより確実に取得することができる。
【００１８】
上記目的は、本発明にあっては、測定対象者の体重を測定する体重情報測定部が測定した測定体重情報を報知対象者に報知する触覚情報報知部が、前記測定体重情報を前記報知対象者の皮膚感覚として再現する触覚情報として出力することを特徴とする体重情報表示方法により達成される。
【発明の効果】
【００１９】
以上説明したように、本発明によれば、体重を測定した対象者の体重情報が他人等の知られない体重計及び体重情報表示方法を提供することができる。
【図面の簡単な説明】
【００２０】
【図１】本発明の体重計である例えば、体重計を示す概略図である。
【図２】（ａ）は、図１の体重計に測定対象者が乗ったときの測定対象者の両足と、それぞれの足に対応する左足配置領域と右足配置領域の状態を示す概略平面説明図であり、（ｂ）は、（ａ）の測定対象者の左足と左足配置領域の状態を示す概略側面図である。
【図３】図１の左足側触覚ディスプレイを示す概略平面図である。
【図４】図３のＡ−Ａ‘線概略断面図である。
【図５】図４の突出部の動作例を示す概略説明図である。
【図６】第１の実施の形態の第１の変形例を示す概略説明図である。
【図７】第１の実施の形態の第２の変形例を示す概略説明図である。
【図８】本変形例の突出部の動作例を示す概略説明図である。
【図９】第１の実施の形態の第３の変形例を示す概略説明図である。
【図１０】本発明の第２の実施の形態に係る体重計を示す概略者斜視図である。
【図１１】本発明の第３の実施の形態に係る体重計を示す概略者斜視図である。
【発明を実施するための形態】
【００２１】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２２】
（第１の実施の形態）
図１は、本発明の体重計である例えば、体重計１を示す概略図である。図１に示す体重計１は、測定対象者が、その上に乗ることで、当該測定対象者の体重を計測する構成となっている。ただし、後述するように本実施の形態の体重計１は、その計測した数値を数字でディスプレイに表示するのではなく、後述する触覚ディスプレイで表示する構成となっている。
【００２３】
図１に示す体重計１は、図示するように、その表面側に測定対象者の左足の足裏を配置する左足配置領域１１と、右足の足裏を配置する右足配置領域１２を有している。
具体的には、左足配置領域１１は、足の指の付け根部分等の前方部分を配置する左足前方部分配置領域１１ａと、足の踵側部分等の後方部分を配置する左足後方部分配置領域１１ｂとを有し、これら左足前方部分配置領域１１ａと左足後方部分配置領域１１ｂは、相互に連続せず、別個に配置されている。
また、右足配置領域１２には、図１に示すように、左足配置領域１１と同様に右足前方部分配置領域１１ａと右足後方部分配置領域１１ｂが、相互に連続せず、別個に配置されている。
【００２４】
図２（ａ）は、図１の体重計１に測定対象者が乗ったときの測定対象者の両足と、それぞれの足に対応する左足配置領域１１と右足配置領域１２の状態を示す概略平面説明図であり、（ｂ）は、（ａ）の測定対象者の左足と左足配置領域１１の状態を示す概略側面図である。
本実施の形態では、上述の左足配置領域１１及び右足配置領域１２と、図示しない体重測定装置本体を有するため、図２（ａ）及び（ｂ）に示すように、測定対象者が体重計１上の左足配置領域１１及び右足配置領域１２に、自己の両足の足裏を乗せると、その体重が数値として測定される構成となっている。
したがって、左足配置領域１１、右足配置領域１２及び体重測定装置本体等が体重情報測定部の一例となっている。
【００２５】
また、図１に示すように、体重計１の表面側には、測定体重報知部及び触覚情報報知部である例えば、触覚ディスプレイ１３が配置されている。
具体的には、図１に示すように、触覚ディスプレイ１３は、測定対象者の足の左足側に配置される左足側触覚ディスプレイ１３ａと、右足側に配置される右足側触覚ディスプレイ１３ｂを有している。
また、左足側触覚ディスプレイ１３ａは、図１及び図２に示すように、左足前方部分配置領域１１ａと左足後方部分配置領域１１ｂとの間、すなわち、測定対象者の足裏の土踏まず等の部分に対応する領域に配置されている。
また、右足側触覚ディスプレイ１３ｂも、左足側触覚ディスプレイ１３ａと同様に、右足前方部分配置領域１２ａと右足後方部分配置領域１２ｂとの間の測定対象者の足裏の土踏まず等の部分に対応する領域に配置されている。
【００２６】
図３は、図１の左足側触覚ディスプレイ１３ａを示す概略平面図であり、図４は、図３のＡ−Ａ’概略略断面図である。なお、右足側触覚ディスプレイ１３ｂにも同様の構成が形成されているが、左足側触覚ディスプレイ１３ａと同様の構成であるため、以下、左足側触覚ディスプレイ１３ａについて説明し、右足側触覚ディスプレイ１３ｂの説明を省略する。
【００２７】
図３に示すように、左足側触覚ディスプレイ１３ａには、測定対象者の足裏の皮膚へ向かう方向である突出方向に沿って進退可能な構成となっている突出部１３０ａ等が例えば、１４個形成されている。
また、これらの突出部１３０ａ等は、図３に示すように、２つの突出部グループに分けられ、左右方向（測定対象者の足裏の左右方向）に配置されている。
すなわち、図３に示すように、左側の突出部グループは、突出部１３０ａ乃至１３０ｇの７個で形成され、右側の突出部グループは、突出部１３０ｈ乃至１３０ｎの７個で形成されている。
【００２８】
そして、それぞれの突出部グループは、突出部１３０ａ等を１以上用いることで、数字の０ないし９を、それぞれ表現することができる構成となっている。
すなわち、例えば、数字の「６５」を表現する場合は、左側の突出部グループの突出部１３０ａ、１３０ｂ、１３０ｄ、１３０ｅ、１３０ｆ、１３０ｇのみを突出させ、他の突出部１３０ｃを突出させないことで、数字の「６」を表現する。
また、右側の突出部グループの突出部１３０ｈ、１３０ｉ、１３０ｋ、１３０ｎ、１３０ｍを突出され、突出部１３０ｊ、突出部１３０ｌを突出させないことで、数字の「５」を表現する構成となっている。
したがって、上述の例では、左足側触覚ディスプレイ１３ａ及び右足側触覚ディスプレイ１３ｂの各々に、数字「６５」をそれぞれ表現することができる構成となっている。
【００２９】
次いで、この突出部１３０ａ等の突出する構成について以下説明する。
図４は、図３のＡ−Ａ‘線概略断面図である。図４に示すように、突出部１３０ｄ、１３０ｋは、その内部にカム機構１３２ｄ、１３２ｋを収容すると共に、表面側には、弾性部材である例えば、ゴム膜１３１ｄが配置されている。
【００３０】
図５は、図４の突出部１３０ｄの動作例を示す概略説明図である。
図５の突出部１３０ｄ内のカム機構１３２ｄが動作し、図５（ａ）から（ｂ）へ変化することで、突出部１３０ｄの表面を覆っているゴム膜１３１ｄが上方（測定対象者の足裏側）に突出するように変化する構成となっている。
【００３１】
すなわち、測定対象者が体重測定のため図２（ａ）及び（ｂ）に示すように、両足の足裏側を左足配置領域１１及び右足配置領域１２に載置すると、体重測定装置本体等が動作し、当該測定対象者の体重が測定され、その結果が算出される。そして、この算出結果に基づいて突出部１３０ｄ等のカム機構１３２ｄ等が動作する。
例えば、当該測定対象者の体重が上述の例の「６５ｋｇ」であるときは、図３の左側の突出部グループの突出部１３０ａ、１３０ｂ、１３０ｄ、１３０ｅ、１３０ｆ、１３０ｇ内のカム機構１３２ｄ等のみが動作し、これらの突出部１３０ｄ等のゴム膜１３１ｄ等が、測定対象者の足裏側を押すように当接される。
これにより、測定対象者の足裏の土踏まず等の部分に数字の「６」の形が皮膚感覚として再現される。すなわち、数字の「６」が触覚情報として、測定対象者の足裏側に再現されることになる。したがって、測定対象者は、数字の「６」を触角情報として取得することになる。
【００３２】
一方、図３の右側の突出部グループでは、突出部１３０ｈ、１３０ｉ、１３０ｋ、１３０ｎ、１３０ｍ内のカム機構１３２ｋ等のみが動作し、これらの突出部１３０ｋ等のゴム膜１３１ｋ等が測定対象者の足裏側を押すように当接され、測定対象者の足裏側に、数字の「５」が再現されることになる。
したがって、測定対象者は、数字の「５」を触角情報として取得することになる。
また、測定対象者は、これら左側の突出部グループの数字「６」と。右側の突出部グループの数字「５」を足裏側から触覚情報として取得することで、測定した体重情報（測定体重情報の一例）が「６５」すなわち、「６５ｋｇ」であることを知ることができる。
また、この体重情報は報知対象者である測定対象者にのみ報知される情報であり、他人に知られることがない。
このため、測定対象者は、自己の体重を他人に知られることなく、安心して計測することができるので、特に女性等にとって体重を計測し易い体重計となっている。
【００３３】
また、本実施の形態では、測定対象者は、体重計１に乗り、両足の足裏側を左足配置領域１１及び右足配置領域１２に載置するだけで、足を動かす等の他の動作をすることなく、体重の測定と、その結果を触覚情報として取得することができるので、使いやすい体重計１となっている。
【００３４】
また、本実施の形態では、左足側触覚ディスプレイ１３ａ及び右足側触覚ディスプレイ１３ｂの各々に、それぞれ左側及び右側の突出部グループを形成したが、本発明はこれに限らず、左足側触覚ディスプレイ１３ａ及び右足側触覚ディスプレイ１３ｂのそれぞれに一つの突出部グループを配置し、上述の例では左足側触覚ディスプレイ１３ａで数字「６」を表現し、右足側触覚ディスプレイ１３ｂでは、数字「５」を示すように構成しても構わない。
この場合は、左右それぞれの足裏に一つの数字を触角情報として伝えるため、測定対象者が、測定体重情報を把握し易いというメリットがある。
【００３５】
また、本実施の形態では、突出部１３０ｄ等内にカム機構１３２ｄ等を配置し、ゴム膜１３１ｄ等を突出させたが、本発明はこれに限らず、カム機構１３２ｄ等の代わりにコンプレッサ等を用いて空気圧力で、ゴム膜１３１ｄ等を突出させてもよい。
【００３６】
（第１の実施の形態の第１の変形例）
図６は、第１の実施の形態の第１の変形例を示す概略説明図である。
本変形例の多くの構成は、上述の第１の実施の形態と同様であるため、同一の構成は同一符号等として説明を省略し、以下、相違点を中心に説明する。
本変形例では、上述の第１の実施の形態の触覚ディスプレイ１３と同様に突出部１３０ａ等が配置されているが、これら突出部１３０ａ等を用いて測定対象者の測定体重情報の値を表現する動作が相違する。
すなわち、第１の実施の形態では、例えば、数字の「６５」を触覚ディスプレイ１３で表示するときは、図３の左側の突出部グループの７個の突出部１３０ａ等のうち６個の突出部１３０ａ等を同時に、測定対象者の足裏側に突出させて「６」を表現し、同様に右側の突出グループが「５」を表現した。
【００３７】
これに対し、本変形例では、例えば、数字「６」を表現する５個の突出部１３０ａ等を同時に突出させるのではなく、図６に示すように、左側の突出部グループの突出部１３０ａのみを最初に突出させ、その次に、突出部１３０ｂ、突出部１３０ｅ、突出部１３０ｆ、突出１３０ｇそして、突出部１３０ｄの順に、それぞれ順番に突出部１３０ａ等を突出させる構成となっている。
換言すれば、数字の「６」を測定対象者の足裏にペン等で書くように表現する構成となっている。
そして、右側の突出部グループでは、例えば、数字の「５」をペン等で書くように、順番に図３の突出部１３０ｉ等を表現する。
これにより、測定対象者は、自己の測定体重が例えば、「６５」ｋｇであることを確認することができる。
【００３８】
本変形例でも、第１の実施の形態と同様に、左足側触覚ディスプレイ１３ａ及び右足側触覚ディスプレイ１３ｂの各々に、それぞれ左側及び右側の突出部グループを形成せず、左足側触覚ディスプレイ１３ａ及び右足側触覚ディスプレイ１３ｂのそれぞれに一つの突出部グループを配置し、左足側触覚ディスプレイ１３ａで、例えば、数字「６」を表現し、右足側触覚ディスプレイ１３ｂでは、数字「５」を表現するように構成しても構わない。
【００３９】
（第１の実施の形態の第２の変形例）
図７は、第１の実施の形態の第２の変形例を示す概略説明図である。
本変形例の多くの構成は、上述の第１の実施の形態と同様であるため、同一の構成は同一符号等として説明を省略し、以下、相違点を中心に説明する。
本変形例では、上述の第１の実施の形態の触覚ディスプレイ１３の突出部１３０ａ等の配置が相違する。すなわち、本変形例では、図７に示すように、左足側触覚ディスプレイ５３ａの突出部５３０ａ等は、左右に２つのグループで６個ずつ突出部５３０ａ等が配置されている。
なお、図示しない右足側触覚ディスプレイにも同様の突出部が形成されているため、以下、左足側触覚ディスプレイ５３ａのみ説明し、右足側触覚ディスプレイの説明は省略する。
ところで、左足側触覚ディスプレイ５３ａの左側の突出部グループは、突出部１３０ａ等が縦に３個ずつ２列配置されている。また、右側の突出部グループは、突出部１３０ｇ等が同様に６個配置されている。
【００４０】
図８は、本変形例の突出部５３０ａ等の動作例を示す概略説明図である。図８に示すように、本変形例では、突出部５３０ａ等は、点字で数字を表現することができるようになっている。
図８の例では、左側の突出部グループの突出部５３０ａ、突出部５３０ｂ及び突出部５３０ｃのみが突出されることで、点字で数字の「６」を表現する構成となっている。
また、右側の突出部グループの突出部５３０ｇ及び突出部５３０ｊが突出することにより、点字で数字の「５」を表現する構成となっている。
【００４１】
このように、本変形例では、測定対象者の測定体重情報を、測定対象者の足裏側に点字で、その数値を表現し、触角情報として伝えることができる構成となっている。
【００４２】
なお、本変形例でも、第１の実施の形態と同様に、左足側触覚ディスプレイ５３ａ及び右足側触覚ディスプレイの各々に、それぞれ左側及び右側の突出部グループを形成せず、左足側触覚ディスプレイ５３ａ及び右足側触覚ディスプレイのそれぞれに一つの突出部グループを配置し、左足側触覚ディスプレイ５３ａで、例えば、数字「６」を表現し、右足側触覚ディスプレイでは、数字「５」を表現するように構成しても構わない。
【００４３】
（第１の実施の形態の第３の変形例）
図９は、第１の実施の形態の第３の変形例を示す概略説明図である。
本変形例の多くの構成は、上述の第１の実施の形態と同様であるため、同一の構成は同一符号等として説明を省略し、以下、相違点を中心に説明する。
本変形例では、上述の第１の実施の形態の触覚ディスプレイ１３の突出部１３０ａ等の配置が相違する。すなわち、本変形例では、図９に示すように、左足側触角ディスプレイ６３ａの突出部６３０ａ等は、１個のみ配置され、右足側触覚ディスプレイ６３０ａにも同様に１個の突出部６３０ｂが配置されている。
【００４４】
そして、これら突出部６３０ａ、６３０ｂは、以下のように動作する。
すなわち、測定対象者の測定体重情報が、例えば、「６５ｋｇ」と計測されると、左足側触覚ディスプレイ６３ａの突出部６３０ａが、６回連続して突出動作を繰り返し、その後、または同時に右足側触覚ディスプレイ６３ｂの突出部６３０ｂが、突出動作を５回繰り返す。
このように、突出部６３０ａ、６３０ｂが測定対象者の足裏側をノックするように所定回数突出動作を繰り返すことで、測定対象者は、自己の体重値を認識することができる。
上述の例では、左足側に「６」回、突出部６３０ａによりノックされることで、測定対象者は、「十の位」が「６」であることがわかり、また、右足側に「５」回、突出部６３０ｂによりノックされることで、「一の位」が「５」であることがわかる構成となっている。
【００４５】
（第２の実施の形態）
図１０は、本発明の第２の実施の形態に係る体重計１００を示す概略者斜視図である。
本実施の形態に係る体重計１００の多くの構成は、上述の第１の実施の形態と同様であるため、同一の構成は同一符号等として説明を省略し、以下、相違点を中心に説明する。
本実施の形態の体重計１００は、上述の第１の実施の形態の体重計１と異なり、その表面側にＬＥＤ等の発光素子等から成る色彩情報表示部１１０を有している。
この色彩情報表示部１１０は、例えば、虹色である７種類の赤、橙、黄、緑、青、藍及び紫の色彩を表示することができる構成となっている。
【００４６】
具体的には、測定対象者の測定体重情報の「十の位」が「３」の場合は「赤」、「４」の場合は「橙」、「５」の場合は「黄」、「６」の場合は「緑」、「７」の場合は「青」、「８」の場合は「藍」、「９」の場合は「紫」と設定されている。
このように、本実施の形態では、色彩情報表示部１１０が、測定体重情報の「十の位」の情報を表示することができるため、図１０の左足側触覚ディスプレイ１３ａ及び右足側触覚ディスプレイ１３ｂで、残りの２つの情報を表示することができる。
すなわち、本実施の形態では、第１の実施の形態と異なり、例えば、測定体重情報の「小数点（第１位）」の情報を含む３つのデータを表示することができる。
【００４７】
例えば、測定対象者の測定体重情報が「６５．５ｋｇ」の場合、色彩情報表示部１１０が「緑色」の色彩を表示することで、「十の位」が「６」であることを示し、また、左足側触覚ディスプレイ１３ａで、図３の突出部１３０ａ等が突出して、「一の位」の「５」を示し、さらに、右足側触覚ディスプレイ１３ｂの突出部１３０ｈ等が突出して、「小数点」の「５」を示すことができる。
このように、構成することで、測定対象者は、他人に知られることなく、自己の正確な測定体重情報を取得することができる。
【００４８】
（第３の実施の形態）
図１１は、本発明の第３の実施の形態に係る体重計２００を示す概略者斜視図である。
本実施の形態に係る体重計２００の多くの構成は、上述の第１の実施の形態と同様であるため、同一の構成は同一符号等として説明を省略し、以下、相違点を中心に説明する。
本実施の形態の体重計２００は、上述の第１の実施の形態の体重計１と異なり、その表面側に、測定体重情報を示す点滅情報表示部である光の点滅部２１０を有している。
この点滅部２１０は、図１１に示すように、左右方向に例えば、２個の点滅部２１０ａ２１０ｂが並んで配置されている。
そして、図１１の左側の点滅部２１０ａは、測定対象者の測定体重情報の「十の位」を表示し、右側の点滅部２１０ｂは、測定体重情報の「一の位」を表示する構成となっている。
【００４９】
すなわち、例えば、測定体重情報が「５６ｋｇ」の場合、左側の点滅部２１０ａが「５回」点滅し、右側の点滅部２１０ｂが「６回」点滅するため、測定対象者は、点滅部２１０を視認することで、自己の測定体重情報が「５６ｋｇ」であることを他人に知られることなく把握することができる。
また、この点滅部２１０の動作は、図１１の左足側触覚ディスプレイ１３ａ及び右足側触覚ディスプレイ１３ｂの動作と共に実行されるので、測定対象者は、左足側触覚ディスプレイ１３ａ及び右足側触覚ディスプレイ１３ｂの動作で認識した測定体重情報を、点滅部２１０の動作で確認することができる。
したがって、測定対象者は、より正確に自己の測定体重情報を取得することができる。
【００５０】
本発明は、上述の各実施の形態に限定されない。例えば、さらに体重を表示するために液晶などで形成された表示部を設け、この表示部で体重を表示させるモード／体重を表示させない非表示のモードを選択できるようにしてもよい。
【符号の説明】
【００５１】
１・・・体重計、１１・・・左足配置領域、１１ａ・・・左足前方部分配置領域、１１ｂ・・・右足後方部分配置領域、１２・・・右足配置領域、１２ａ・・・右足前方部分配置領域、１２ｂ・・・右足後方部分配置領域、１３・・・触覚ディスプレイ、１３ａ、５３ａ、６３ａ・・・左足側触覚ディスプレイ、１３ｂ、６３ｂ・・・右足側触覚ディスプレイ、１３０ａ乃至１３０ｎ、５３０ａ乃至５３０ｌ、６３０ａ、６３０ｂ・・・突出部、１３１ｄ、１３１ｋ・・・ゴム膜、１３２ｄ、１３２ｋ・・・カム機構
【図１】
2013072696.tif 000003
【図２】
2013072696.tif 000004
【図３】
2013072696.tif 000005
【図４】
2013072696.tif 000006
【図５】
2013072696.tif 000007
【図６】
2013072696.tif 000008
【図７】
2013072696.tif 000009
【図８】
2013072696.tif 000010
【図９】
2013072696.tif 000011
【図１０】
2013072696.tif 000012
【図１１】
2013072696.tif 000013